(57)【要約】【課題】優れた防食性を有し、コンクリート製基体部分との一体性を長期間に渡って確保可能であって、さらに安価に製造することができる防食部材、及び、これを用いた下水道施設用コンクリート構造物を提供する。【解決手段】防食部材１において、基板部１０は、一面１１上に複数の突出部１６を有している。アンカー用線材１８は、隣接する突出部１６に取り付けられている。アンカー空間１７は、一面１１からアンカー用線材１８までの間に形成されている。  上述した防食部材１は、コンクリート基体部２や接着剤３と組み合わせて下水道施設用コンクリート構造物に用いられる。防食部材１は、コンクリート基体部２の内部空間２００において、その内周面２０に沿った形状に組み立てられ、一面１１が内周面２０と間隔Ｇを隔てて向き合っている。接着剤３は、間隔Ｇに充填され、且、アンカー空間１７に充填されている。【選択図】図８
2008127753.tif 000002
【特許請求の範囲】
【請求項１】
基板部と、アンカー用線材と、アンカー空間とを含む防食部材であって、
前記基板部は、一面上に複数の突出部を有しており、
前記アンカー用線材は、前記基板部の前記一面側において、少なくとも２つの隣接する前記突出部に取り付けられており、
前記アンカー空間は、前記突出部に対する前記アンカー用線材の取り付け位置に応じて、前記一面から前記アンカー用線材までの間に形成されている、
防食部材。
【請求項２】
コンクリート基体部と、複数の防食部材と、接着剤とを含む下水道施設用コンクリート構造物であって、
前記コンクリート基体部は、内周面によって区画された内部空間を有しており、
前記防食部材のそれぞれは、請求項１に記載されたものでなり、
前記複数の防食部材は、前記コンクリート基体部の前記内部空間において、その内周面に沿った形状に組み立てられ、前記アンカー用線材が配置されている一面が、前記内周面と間隔を隔てて向き合っており、
前記接着剤は、前記間隔内に充填され、且、前記アンカー空間内に充填されている、
下水道施設用コンクリート構造物。
【請求項３】
請求項２に記載された下水道施設用コンクリート構造物であって、
前記コンクリート基体部は、排水管の管基体、又は、マンホールの桝基体のいずれかである、
下水道施設用コンクリート構造物。
【発明の詳細な説明】
【技術分野】
【０００１】
本発明は、防食部材、及び、これを用いた下水道施設用コンクリート構造物に関する。
【背景技術】
【０００２】
一般に、下水道施設は、下水管路網を構成する排水管、及び、この下水管路網の保守管理を行うためのマンホールなどを有し、これらが有機的に接続されて構成されている。従来、この種の排水管、及び、マンホールは、コンクリート材料を主成分とする構造物であり、その使用環境によって、コンクリート製基体部分（管基体や桝基体）の内周面に腐食劣化が生じ易いことが知られている。
【０００３】
例えば、通常の下水道施設には、糞尿等を含む生活排水や、硫黄酸化物等を含む雨水等の下水が流れており、それら下水から発生する硫化水素ガスにより、コンクリート製基体部分の内周面が腐食される。また、温泉街周辺の下水道施設には常時大量の温泉排水が流れており、この温泉排水から発生する硫化水素ガスにより、コンクリート製基体部分の内周面が腐食される。さらに、工業施設周辺の下水道施設には各種工業廃液が流れており、この廃液から発生する硫化水素ガスによって、又は、この廃液自体によって直接的に、コンクリート製基体部分の内周面が腐食される。
【０００４】
上述した下水道施設用コンクリート構造物の腐食問題について、コンクリート製基体部分の内周面に生じた腐食部分を補修せずに放置した場合、周囲からの土圧により腐食部分に亀裂が生じ、この亀裂から漏水事故がおきるとともに、最悪の場合には崩落事故がおきる危険性が極めて高くなる。
【０００５】
そこで、従来より、内周面の腐食部分を補修し、下水道施設用コンクリート構造物を再構築する技術が提案されている。例えば、特許文献１には、マンホールの内部空間において、合成樹脂材料でなる防食部材の複数を連結して筒状組立体を構成し、この筒状組立体の外周面と、桝基体の内周面との間に接着剤を充填することにより、筒状の防食部材が内周面に取り付けられる再構築技術が開示されている。
【０００６】
特許文献１の開示内容によれば、上述した下水道施設用コンクリート構造物の腐食問題を解決することができる。さらに、特許文献１では、複数の防食部材を連結して筒状組立体が構成されているから、施工作業の高効率化、施工期間の短縮、及び、施工コストの低減が図られている。
【０００７】
ところで、この種の防食部材を用いた下水道施設用コンクリート構造物の再構築技術では、防食部材と、接着剤との材質の違いに起因して、防食部材の剥離事故が生じ易いことが確認されている。例えば、接着剤が所謂モルタルである場合、モルタルと、防食部材との材質の相違により、防食部材が、モルタル（及び、桝基体の内周面）から剥離する。
【０００８】
このような防食部材の剥離事故により、防食部材と、コンクリート製基体部分の内周面との相対向面間に隙間や空洞が生じると、防食効果の信頼性が損なわれる。従って、下水道施設用コンクリート構造物の再構築技術においては、防食部材と、内周面との構造的な一体性を長期間に渡って確保しうることが重要な技術的課題となっている。
【０００９】
これに対し、特許文献１には、防食部材と、コンクリート製基体部分の内周面との構造的一体性を確保するための構造が充分に開示されているとはいえない。
【００１０】
上述した防食部材の剥離事故対策として、特許文献２には、外周面に断面Ｔ字形状のアンカー突起を有する防食部材が開示されている。特許文献２に開示されている防食部材によると、アンカー突起が接着剤に対してアンカー効果を奏することにより、防食部材と、コンクリート製基体部分の内周面との構造的一体性が一応、確保される。
【００１１】
しかし、実際には、上述したようなアンカー突起を防食部材の外周面上に成形するには、新たな樹脂成型用金型が必要になるなど過大な設備投資を強いられ、コスト高を招くこととなる。
【特許文献１】特開２００５−２７３１９０号公報
【特許文献２】特開２００１−２４８１７７号公報
【発明の開示】
【発明が解決しようとする課題】
【００１２】
本発明の課題は、優れた防食性（防食効果）を有する防食部材、及び、これを用いた下水道施設用コンクリート構造物を提供することである。
【００１３】
本発明のもう１つの課題は、コンクリート製基体部分との一体性を長期間に渡って確保することができる防食部材、及び、これを用いた下水道施設用コンクリート構造物を提供することである。
【００１４】
本発明の更にもう１つの課題は、安価に製造することができる防食部材、及び、これを用いた下水道施設用コンクリート構造物を提供することである。
【課題を解決するための手段】
【００１５】
上述した課題を解決するため、本発明に係る防食部材は、基板部と、アンカー用線材と、アンカー空間とを含む。基板部は、一面上に複数の突出部を有している。アンカー用線材は、基板部の一面側において、少なくとも２つの隣接する突出部に取り付けられている。アンカー空間は、突出部に対するアンカー用線材の取り付け位置に応じて、一面からアンカー用線材までの間に形成されている。
【００１６】
上述したように、本発明に係る防食部材は、基板部と、アンカー用線材とを有しており、アンカー用線材は、基板部の一面側において、突出部に取り付けられている。即ち、本発明に係る防食部材において、基板部と、アンカー用線材とは別個独立の構成部材であり、基板部には、アンカー用線材の取り付け箇所となる突出部を有する以外に、アンカー用線材の配置を目的とした設計上の制約はない。従って、本発明に係る防食部材を製造するにあたり、基板部を成型するために新たな金型を準備するなど、過大な設備投資を強いられることがなく、安価に製造することができる。
【００１７】
また、基板部は、アンカー用線材とは別部材であるから、輸送効率、及び、施工効率を考慮して、基板部を扁平板状や、湾曲板状などに成形することができる。
【００１８】
本発明に係る防食部材は、基板部に対するアンカー用線材の取り付け態様に工夫を加え、アンカー空間を有する点に特徴の１つがある。即ち、アンカー用線材は、基板部の一面側において、少なくとも２つの隣接する突出部に取り付けられている。アンカー空間は、突出部に対するアンカー用線材の取り付け位置に応じて、基板部の一面からアンカー用線材までの間に形成されている。この構成によると、アンカー空間を容易に形成し、防食部材をマンホール（桝基体）の内装材として用いた場合に、アンカー空間にモルタル等の接着剤を浸入させることができる。
【００１９】
上述した防食部材は、下水道施設用コンクリート構造物の基体部分の内周面を覆うために用いられる。即ち、本発明に係る下水道施設用コンクリート構造物は、コンクリート基体部と、複数の防食部材と、接着剤とを含む。コンクリート基体部は、内周面によって区画された内部空間を有している。通常、コンクリート基体部は、所謂マンホールの桝基体、又は、排水管の管基体のいずれかである。
【００２０】
複数の防食部材は、コンクリート基体部の内部空間において、その内周面に沿った形状に組み立てられ、アンカー用線材が配置されている一面が、内周面と間隔を隔てて向き合っている。接着剤は、間隔内に充填され、且、アンカー空間内に充填されている。
【００２１】
本発明に係る下水道施設用コンクリート構造物は、上述した本発明に係る防食部材の利点を全て有する。例えば、本発明に係る下水道施設用コンクリート構造物において、接着剤は、間隔内に充填され、且、アンカー空間内に充填されている。この構造によると、防食部材がコンクリート基体部の内周面から剥離しようとしたとき、アンカー用線材が、アンカー空間の接着剤に対してアンカー効果を奏する。従って、防食部材と、コンクリート基体部との一体性を長期間に渡って確保することができる。
【００２２】
本発明に係る下水道施設用コンクリート構造物は、コンクリート基体部の内部空間において、その内周面に沿った形状に組み立てられた防食部材（例えば筒状組立体）を有しているから、コンクリート基体部の内周面を、腐食の原因となる硫化水素ガスや各種工業廃液から保護することができる。
【００２３】
本発明に係る下水道施設用コンクリート構造物において、コンクリート基体部の内周面を覆う筒状組立体は、複数の防食部材を用いた組み立て構造であるから、施工作業の高効率化、施工期間の短縮、及び、施工コストの低減が図られる。
【００２４】
本発明に係る下水道施設用コンクリート構造物において、コンクリート基体部の内周面を覆う筒状組立体は、複数の防食部材を用いた組み立て構造であるから、内周面の形状に容易に追従することができる。特に、本発明に係る防食部材において、基板部と、アンカー用線材とは別部材であって、基板部には、アンカー用線材の取り付け箇所となる突出部を有する以外に、アンカー用線材の配置を目的とした設計上の制約はない。従って、基板部を、予めコンクリート基体部の内周面の形状に適合する形状に設計することにより、内周面の形状に追従した筒状組立体を効率よく提供することができる。
【００２５】
同様に、筒状組立体は、防食部材の使用枚数、及び、組み合わせ枚数を任意に設定することにより、コンクリート基体部の空間容量に容易に追従することができる。従って、効率よく、且、安価に下水道施設用コンクリート構造物を提供することができる。
【００２６】
本発明の他の目的、構成及び利点については、添付図面を参照し、更に詳しく説明する。添付図面は、単に、例示に過ぎない。
【発明の効果】
【００２７】
以上述べたように、本発明によれば、次のような効果を得ることができる。
（１）優れた防食性（防食効果）を有する防食部材、及び、これを用いた下水道施設用コンクリート構造物を提供することができる。
（２）コンクリート製基体部分との一体性を長期間に渡って確保することができる防食部材、及び、これを用いた下水道施設用コンクリート構造物を提供することができる。
（３）安価に製造することができる防食部材、及び、これを用いた下水道施設用コンクリート構造物を提供することができる。
【発明を実施するための最良の形態】
【００２８】
図１は本発明の一実施形態に係る防食部材の正面図、図２は図１に示した防食部材の背面図、図３は図２に示した防食部材の平面図、図４は図１に示した防食部材の側面図である。図１乃至図４を参照すると、本発明の一実施形態に係る防食部材は、基板部１０と、アンカー用線材１８とを含む。
【００２９】
まず、基板部１０は、防食性（防食効果）を有する材料を主成分とする成形体である。なお、本明細書において、「防食性（防食効果）」とは、下水道施設内において発生する硫化水素ガスなどのコンクリート腐食ガスに対する耐腐食性（耐腐食効果）と、工業施設から下水道施設に排出される各種工業廃液のうち、コンクリート腐食作用を有する薬品に対する耐薬品性（耐薬品効果）との少なくとも２つを含む。
【００３０】
基板部１０に適した防食性を有する材料としては、ステンレス等の金属材料、及び、合成樹脂材料などが挙げられる。用いられる合成樹脂材料としては、上述した防食性を有することを前提として、さらに素材強度、購入コスト、加工容易性などの観点から、塩化ビニル樹脂（ＰＶＣ）、ポリプロピレン（ＰＰ）、繊維強化プラスチック（ＦＲＰ＝Fiber Reinforced Plastics）等が好ましい。
【００３１】
次に、基板部１０の具体的形状について説明する。図１乃至図４に示した基板部１０は、断面円弧形状の板状体であって、矢印Ｌで示す長さ方向に沿った長さ寸法Ｌ１が６００ｍｍ程度、矢印Ｗで示す幅方向に沿った幅寸法Ｗ１が５００ｍｍ程度である。例えば、図３において破線で示す円Ｃは、一般的なマンホールの開口部の形状を示すものであって、この開口部Ｃの径寸法Ｄ２は、６００ｍｍ程度である。図３に示すように防食部材は、幅寸法Ｗ１が、一般的なマンホールの開口部の径寸法Ｄ２よりも小さいから、開口部から、その内部に案内することが可能である。
【００３２】
基板部１０は、一面１１と、他面１２と、湾曲端縁１３と、非湾曲端縁１４とを含む。一面１１は、断面円弧形状において拡張された外径面（外径側の周面）であり、他面１２は、断面円弧形状において縮小された内径面（内径側の周面）である。湾曲端縁１３は、基板部１０の長さ方向Ｌに向かい合う２辺である。非湾曲端縁１４は、長さ方向Ｌに直交する幅方向Ｗに向かい合う２辺である。
【００３３】
基板部１０は、第１の連結部１５１と、第２の連結部１５２とを含む。第１及び第２の連結部１５１、１５２のそれぞれは、凹凸嵌合のための段差形状を有し、この段差形状は、湾曲端縁１３、又は、非湾曲端縁１４の両端縁面において、それぞれの凹凸嵌合に対応した段差形状となっている。具体的に、湾曲端縁１３において、長さ方向Ｌの両端縁面に備えられている第１及び第２の連結部１５１、１５２のうち、第１の連結部１５１は幅方向Ｗに伸びる凸縁であり、第２の連結部１５２は幅方向Ｗに伸びる凹溝である。
【００３４】
一方、非湾曲端縁１４において、幅方向Ｗの両端縁面に備えられている第１及び第２の連結部１５１、１５２のうち、第１の連結部１５１は長さ方向Ｌに伸びる凸縁であり、第２の連結部１５２は長さ方向Ｌに伸びる凹溝である。第１及び第２の連結部１５１、１５２は相互に嵌合可能に形成されている。この構成によると、同じ規格品である防食部材の複数を組立して筒状組立体を構成する場合に、隣接する防食部材において、向かい合う端縁を連続して凹凸嵌合することができる。従って、筒状組立体を構成する部品点数を実質的に削減し、製造コストを低減することができる。
【００３５】
基板部１０は、突出部１６（斜線ハッチングで表示）を含む。突出部１６は、複数であって、一面１１上に形成されている。図１乃至図４に示す突出部１６は、所謂リブ状であって、一面１１において、長さ方向Ｌ、及び、幅方向Ｗに沿って交差する格子状に形成されており、矢印Ｔで示す基板部１０の厚み方向に放射状に突出している。
【００３６】
アンカー用線材１８は、一面１１の側において、少なくとも２つの隣接する突出部１６に取り付けられている。アンカー用線材１８は、素材強度や購入コストなどの観点から、鉄やステンレスなどの金属材料を主成分とする線材を用いることが好ましい。但し、アンカー用線材１８は、金属材料に限定されない。例えば、アンカー用線材１８には、合成樹脂材料を用いて構成することもできるし、炭素繊維やガラス繊維などを加工して用いることもできる。
【００３７】
図１乃至図６に示す防食部材において、長さ方向Ｌに沿って伸びるアンカー用線材１８は、好ましくは長さ方向Ｌの一端側で、湾曲端縁１３から長さ方向Ｌに突出している。この構成によると、防食部材の複数を長さ方向Ｌに結合して組み合わせる場合に、突出するアンカー用線材１８を、組み合わせに係る防食部材の湾曲端（１３）にオーバーラップさせることができる。
【００３８】
また、幅方向Ｗに沿って伸びるアンカー用線材１８は、好ましくは幅方向Ｗの一端側で、非湾曲端縁１４から幅方向Ｗに突出している。この構成によると、防食部材の複数を幅方向Ｗに結合して組み合わせる場合に、突出するアンカー用線材１８を、組み合わせに係る防食部材の非湾曲端縁（１４）にオーバーラップさせることができる。
【００３９】
長さ方向Ｌに沿って伸びるアンカー用線材１８と、幅方向Ｗに沿って伸びるアンカー用線材１８とは、格子状に組み合わされており、好ましくは格子状の交点部分で相互に結合されている。
【００４０】
さらに、長さ方向Ｌに沿って伸びるアンカー用線材１８のそれぞれは、向かい合う湾曲端縁１３の両端縁間において、交差する全ての突出部１６に取り付けられている。同様に、幅方向Ｗに沿って伸びるアンカー用線材１８のそれぞれは、向かい合う非湾曲端縁１４の両端縁間において、交差する全ての突出部１６に取り付けられている。
【００４１】
上述した、突出部１６に対するアンカー用線材１８の取り付け構造について、さらに図５乃至図７を参照して説明する。図５は図４の５−５線に沿った拡大断面図、図６は図５の６−６線に沿った拡大断面図、図７は図６に示した防食部材の一部を拡大して示す図である。
【００４２】
図５乃至図７を参照すると、アンカー用線材１８は、湾曲端縁１３又は非湾曲端縁１４の両端縁間において、交差する全ての突出部１６の突出先端面１６０に取り付けられている。図５乃至図７に示すアンカー用線材１８は、突出先端面１６０に一部埋設されているが、例えば接着剤などにより、突出先端面１６０上に貼り付け固定されていてもよい。
【００４３】
さらに、防食部材は、基板部１０の一面１１において、アンカー用線材１８と、突出部１６とが交わらない位置に、複数のアンカー空間１７を有している。アンカー空間１７は、突出部１６に対するアンカー用線材１８の取り付け位置に応じて、一面１１からアンカー用線材１８までの間に形成されている。図５乃至図７に示すアンカー空間１７は、格子状の突出部１６により区画された凹状の窪みであって、一面１１を底面とし、突出部１６の立ち上がり側壁を側面としており、さらにアンカー用線材１８を天面部分としている。
【００４４】
アンカー空間１７の空間容量は、一面１１上における突出部１６の突出距離（高さ寸法）と、この突出部１６に対するアンカー用線材１８の取り付け位置に応じて自由に調節することができる。
【００４５】
図５乃至図７に示すように、本発明の一実施形態に係る防食部材は、アンカー用線材１８が、隣接する突出部１６を橋渡しするような態様で、突出先端面１６０に取り付けられていることにより、一面１１とアンカー用線材１８との間にアンカー空間１７が形成される点に特徴の一つがある。この意味で、本明細書において、アンカー用線材１８の「線材」とは、「隣接する突出部１６の間を橋渡しできる程度の長さを有する部材」を意味し、必ずしも一般的な「線材」が意味するような、「断面が円形の鋼材で、太さが５ミリほどのもの」（大辞泉）に限定されるわけではない。例えば、アンカー用線材１８としては、断面楕円形状のものや、板状（帯状）のもの、さらには異形鉄筋を用いることができる。
【００４６】
また、アンカー用線材１８の組み合わせ形状は、必ずしも格子状に限定されるわけではない。例えば、アンカー用線材１８の使用本数と、その交差角度によっては、網目状またはメッシュ状に組み合わせることができる。
【００４７】
図１乃至図７を参照して説明したように、本発明の一実施形態に係る防食部材は、基板部１０に対するアンカー用線材１８の取り付け態様に工夫を加え、アンカー空間１７を有する点に特徴の１つがある。即ち、アンカー用線材１８は、基板部１０の一面１１の側において、少なくとも２つの隣接する突出部１６に取り付けられており、アンカー空間１７は、突出部１６に対するアンカー用線材１８の取り付け位置に応じて、一面１１からアンカー用線材１８までの間に形成されている。この構成によると、アンカー空間１７を容易に形成し、防食部材を下水道施設用コンクリート構造物の内装材として用いた場合に、アンカー空間１７にモルタル等の接着剤を浸入させることができる。
【００４８】
防食部材において、アンカー用線材１８は、基体部１０の突出部１６に取り付けられている。即ち、基板部１０と、アンカー用線材１８とは別個独立の構成部材であり、基板部１０には、アンカー用線材１８の取り付け箇所となる突出部１６を有する以外に、アンカー用線材１８の配置を目的とした設計上の制約はない。従って、防食部材を製造するにあたり、基板部１０を成型するために新たな金型を準備するなど、過大な設備投資を強いられることがなく、安価に製造することができる。
【００４９】
また、基板部１０は、アンカー用線材１８とは別部材であるから、輸送効率、及び、施工効率を考慮して、基板部１０を扁平状や、湾曲状などに成形することができる。
【００５０】
防食部材は、湾曲端縁１３、及び、非湾曲端縁１４のそれぞれにおいて、向かい合う両端縁面に、凹凸嵌合に対応した段差形状の第１及び第２の連結部１５１、１５２を有している。この構成によると、第１及び第２の連結部１５１、１５２の凹凸嵌合により、複数の防食部材を筒状に組み合わせる組立作業を容易、且、迅速に行うことができる。
【００５１】
上述したように、図１乃至図７を参照して説明した防食部材は、複数を組み合わせることにより、下水道施設用コンクリート構造物の基体部分の内周面を覆うために用いられる。次に、本発明に係る下水道施設用コンクリート構造物について、図８乃至図１０を参照して説明する。
【００５２】
図８は本発明の一実施形態に係る下水道施設用コンクリート構造物について一部を省略して示す断面図、図９は図８の９−９線に沿った拡大断面図、図１０は図９に示した下水道施設用コンクリート構造物の一部を拡大して示す図である。図８乃至図１０において、図１乃至図７に図示した構成部分と同一の構成部分には、同一の参照符号を付す。
【００５３】
図８乃至図１０に示す下水道施設用コンクリート構造物は、所謂、組立式マンホールであって、複数の防食部材１と、コンクリート基体部２と、接着剤（裏込め材）３とを含む。なお、コンクリート基体部２については、図示実施形態に即して、以下、桝基体２として説明する。
【００５４】
桝基体２は、組立式マンホールの各部を構成する斜壁ブロック２１、直壁ブロック２２、及び、底塊ブロック２３を有し、それら全てがコンクリート材料を主成分として成型されている。
【００５５】
また、斜壁ブロック２１は、開口部２１０に蓋２１１を有し、この蓋２１１がグランドライン４に露出している。底塊ブロック２３は、内部底面２３０上に流路２３１を有し、この流路２３１に流入管５１、流出管５２が接続されている。流路２３１は、流入管５１、流出管５２を接続し、流入管５１から流出管５２へ汚水６を流す。
【００５６】
さらに、桝基体２は、内周面２０により区画された内部空間２００を有する。図８乃至図１０において、内周面２０は腐食部分が既に除去されており、この腐食部分を除去した後の部分が凹凸面２５となっている。
【００５７】
複数の防食部材１は、桝基体２の内部空間２００において、内周面２０に沿った形状（筒状）に組み立てられて、筒状組立体１００を構成している。例えば、筒状組立体１００は、５つの防食部材１を一組として断面円形状の筒状に組み合わされている（図９参照）。
【００５８】
５つ一組の防食部材１は、それぞれが幅方向Ｗ、及び、長さ方向Ｌに配置され、隣接する防食部材１の相互間において相対向する湾曲端縁１３、及び、非湾曲端縁１４が、第１及び第２の連結部１５１、１５２の凹凸嵌合により結合されている。なお、この凹凸嵌合部分にビスやピン等の止め具を挿通して、嵌合力を高めてもよい。
【００５９】
筒状組立体１００の開口部は径寸法Ｄ１を有し、桝基体２の開口部２１０は径寸法Ｄ２を有する。筒状組立体１００は、図９に示す斜壁ブロック２１で径寸法が最小となり、直壁ブロック２２及び底塊ブロック２３の積層方向に伸びるに従って、桝基体２の内部空間２００にそって拡張される。
【００６０】
筒状組立体１００は、アンカー用線材１８の配置されている一面１１が、内周面２０と間隔Ｇを隔てて向き合っている。間隔Ｇは、例えば、筒状組立体１００の開口部の径寸法Ｄ１と、桝基体２の開口部２１０の径寸法Ｄ２との、径寸法差により生じる隙間である。間隔Ｇは、筒状組立体１００が、内周面２０の形状に沿って形成されていることにより、斜壁ブロック２１から底塊ブロック２３までの内周面２０に沿って、筒状組立体１００の周囲に連続して形成されている。
【００６１】
接着剤（裏込め材）３は、間隔Ｇの内部に充填されており、筒状組立体１００の外周面と、桝基体２の内周面２０とを接着する。より具体的に、接着剤３は、間隔Ｇの内部に隙間無く充填されていることにより、アンカー空間１７、及び、凹凸面２５の内部に浸入して硬化している。接着剤３には、周知のモルタルや、エポキシ樹脂等の合成樹脂材料を用いることができる。
【００６２】
さらに、図示実施形態に係る下水道施設用コンクリート構造物（マンホール）は、保守点検時に作業員が内部空間２００を昇降するためのステップ７を有している。図示からは必ずしも明らかではないが、防食部材１は、ステップ７の取り付けられる箇所に、一面１１から他面１２に貫通するステップ露出孔を有することが好ましい。
【００６３】
図８乃至図１０を参照して説明した下水道施設用コンクリート構造物は、複数の防食部材１が、内部空間２００において、内周面２０に沿った筒状に組み立てられ、防食部材１のそれぞれにおいてアンカー用線材１８が配置されている一面１１が、筒状組立体１００の外周面として、内周面２０と間隔Ｇを隔てて向き合っている。アンカー用線材１８は、突出部１６の突出先端面１６０に取り付けられており、隣接する突出部１６の間であって、一面１１からアンカー用線材１８までの間に、アンカー空間１７を有している。
【００６４】
上述した下水道施設用コンクリート構造物の構造によると、接着剤３は、間隔Ｇの内部に充填され、アンカー空間１７に浸入した状態で硬化している。アンカー空間１７は、一面１１上であって、アンカー用線材１８よりも筒状組立体１００の軸方向に後退した位置に凹状に形成されている。従って、防食部材１に内周面２０から剥離しようとする動作が生じたとしても、アンカー空間１７の接着剤３に対して、アンカー用線材１８がアンカー効果を奏し、防食部材１の剥離動作が規制される。よって、防食部材１と、接着剤３との材質の違いにかかわらず、防食部材１と、桝基体２との一体性を長期間に渡って確保することができる。
【００６５】
また、接着剤３は、間隔Ｇの内部において、凹凸面２５にも浸入して硬化している。即ち、下水道施設用コンクリート構造物は、腐食部分を除去した後の内周面２０の欠損部分（凹凸面２５）が、接着剤３によって補修されており、周囲からの土圧により凹凸面２５に亀裂が生じることを防止しうる。しかも、筒状組立体１００は、内周面２０を全面に渡って被覆することにより、内部空間２００を内側から支持しているから、下水道施設用コンクリート構造物全体の機械的強度を向上することができる。
【００６６】
防食部材１の基板部１０は、防食性を有するＰＶＣ、ＰＰ等の合成樹脂材料を主成分として構成されている。従って、筒状組立体１００が内周面２０に内装された後にも、桝基体２の内部空間２００に継続して発生する硫化水素ガスや各種工業廃液に対して、優れた防食効果を有することができる。
【００６７】
桝基体２において、内周面２０を覆う筒状組立体１００は、複数の防食部材１を長さ方向Ｌ、及び、幅方向Ｗに組み合わせた構造である。防食部材１のそれぞれは、桝基体２の開口部２１０より小さい寸法に成形可能である（図３参照）から、防食部材１を開口部２１０から内部空間２００へ搬入することができる。
【００６８】
桝基体２において、内周面２０を覆う筒状組立体１００は、複数の防食部材１を用いた組み立て構造であるから、内周面２０の形状に容易に追従することができる。特に、防食部材１において、基板部１０と、アンカー用線材１８とは別部材であって、基板部１０には、アンカー用線材１８の取り付け箇所となる突出部１６を有する以外に、アンカー用線材１８の配置を目的とした設計上の制約はない。従って、基板部１０を、予め桝基体２の内周面２０の形状に適合する形状に設計することにより、内周面２０の形状に追従した筒状組立体１００を効率よく提供することができる。
【００６９】
さらに、筒状組立体１００は、複数の防食部材１を用いた組み立て構造であるから、防食部材１の組み合わせ枚数を任意に設定することにより、筒状組立体１００の長さ寸法Ｌ１、及び、内部容量を容易に増減することができる。従って、様々な容量で構成されている桝基体２の内部空間２００に対し、迅速、且、容易に筒状組立体１００を設置することができる。
【００７０】
防食部材１のそれぞれは、小型化及び軽量化が可能であって、施工現場での取りまわしが容易であるから、狭い内部空間２００で筒状組立体１００を組立する作業の高効率化が図られる。また、作業の高効率化により施工期間の短縮を実現できるから、一般交通への負担を最小限に抑えることができる。しかも、防食部材１のそれぞれは、重量が軽量化されているから、施工作業の高効率化、施工期間の短縮、及び、施工コストの低減が図られる。
【００７１】
防食部材１は、その内部構成として、第１及び第２の連結部１５１、１５２を含む。従って、この防食部材１を用いた筒状組立体１００は、部品点数が低減されており、且、筒状組立体１００の組み合わせ構造が簡略化されているから、製造コストを低減することができる。また、防食部材１相互の連結作業も簡略化されるので、容易、且、迅速に組立作業を実行することができ、施工効率の向上が図られる。
【００７２】
図１乃至図１０を参照して説明した防食部材１、及び、これを用いた下水道施設用コンクリート構造物の利点について、さらに製造方法の観点から説明する。図１１乃至図１９は、図８乃至図１０に示した下水道施設用コンクリート構造物の製造方法を示す図である。図１１乃至図１９において、図１乃至図１０に図示した構成部分と同一の構成部分には、同一の参照符号を付す。
【００７３】
まず、図１１に示すように、桝基体２の内周面２０に生じた腐食部分を、好ましくは高圧水洗浄により除去する。内周面２０において、腐食部分を除去した後の凹凸面２５には、予め、エポキシ樹脂や、モルタル等の補修剤を充填して補強してもよい。
【００７４】
図１２は、図１１に示した工程の後の工程を示す図であって、図１１に示した工程の後、複数の防食部材１を、桝基体２の開口部２１０から内部空間２００に搬入し、内周面２０と、一面１１との相対向面間に間隔Ｇが生じるように、複数の防食部材１を筒状に組み合わせて、筒状組立体１００を構成する。この筒状組立体１００は、底塊ブロック２３の内部底面２３０に立設される。
【００７５】
図１３を参照すると、隣接する防食部材１の連結工程について、一方の非湾曲端縁１４の第１の連結部１５１を、向かい合う他方の非湾曲端縁１４の第２の連結部１５２に案内して、相互に凹凸嵌合する。非湾曲端縁１４の凹凸嵌合部分には、エポキシ樹脂等の合成樹脂系シール剤を塗布することにより、硫化水素ガスに対する気密性、及び、汚水に対する水密性を確保することが好ましい。
【００７６】
また、アンカー用線材１８は、第２の連結部１５２において非湾曲端縁１４から突出しており、第１の連結部１５１と、第２の連結部１５２とを相互に凹凸嵌合した場合に、上述したアンカー用線材１８の突出端が、第１の連結部１５１の側の非湾曲端縁１４にオーバーラップされる。例えば、アンカー用線材１８は、その突出端にフック状の掛止部（図示しない）を有することにより、オーバーラップさせた状態で、基体部１０の一部や、交差するアンカー用線材１８に掛止可能であることが好ましい。
【００７７】
図１３に示した連結工程により、図１４に示すように無端円筒状の組立体１００が得られとともに、図１５に示すように筒状組立体の１００の外周面には、その全周に沿ってアンカー用線材１８が途切れることなく連続して配置され、且、全周に沿って接着剤（３）を保持可能なアンカー空間１７が多数形成されている。
【００７８】
図１６は、図１２乃至図１５に示した工程の後の工程を示す図であって、図１２乃至図１５に示した工程の後、さらに複数の防食部材１を開口部２１０から内部空間２００に搬入し、内部底面２３０に先行して立設された筒状組立体１００を基礎として、長さ方向Ｌに連結して積み上げる。
【００７９】
図１７を参照すると、一方の湾曲端縁１３の第１の連結部１５１を、向かい合う他方の湾曲端縁１３の第２の連結部１５２に案内して、相互に凹凸嵌合する。湾曲端縁１３の凹凸嵌合部分には、エポキシ樹脂等の合成樹脂系シール剤を塗布することにより、硫化水素ガスに対する気密性、及び、汚水に対する水密性を確保することが好ましい。
【００８０】
また、アンカー用線材１８は、第２の連結部１５２において湾曲端縁１３から突出しており、第１の連結部１５１と、第２の連結部１５２とを相互に凹凸嵌合した場合に、上述したアンカー用線材１８の突出端が、第１の連結部１５１の側の湾曲端縁１３にオーバーラップされる。例えば、アンカー用線材１８は、その突出端にフック状の掛止部（図示しない）を有することにより、オーバーラップさせた状態で、基体部１０の一部や、交差するアンカー用線材１８に掛止可能であることが好ましい。
【００８１】
図１７に示した長さ方向Ｌへの連結作業は、桝基体２の容量に応じて、開口部２１０まで繰り返し行われ、連結して得られた筒状組立体の１００の外周面には、その長さ方向Ｌに沿ってアンカー用線材１８が途切れることなく連続して配置される。
【００８２】
図１８は、図１６及び図１７に示した工程の後の工程を示す図であって、筒状組立体１００の組み立て作業によって、すべての内周面２０が筒状組立体１００で被覆される。  
【００８３】
筒状組立体１００は、アンカー用線材１８が配置されている一面１１が外周面となっており、その外周面の全周に沿って、接着剤を保持可能なアンカー空間１７が多数形成されている。さらに、筒状組立体１００の外周面と、桝基体２の内周面２０との相対向面間には間隔Ｇが形成されている。
【００８４】
図１９は、図１８に示した工程の後の工程を示す図であって、間隔Ｇに、例えばモルタルなどの接着剤３を充填する。接着剤３は、間隔Ｇ、及び、腐食部分を除去した後の内周面２０の凹凸面２５を埋めるとともに、アンカー空間１７に含浸した状態で、養生期間を経て硬化される。
【００８５】
図１１乃至図１９を参照して説明した下水道施設用コンクリート構造物の製造方法によると、図１乃至図１０を参照して説明した防食部材１、及び、これを用いた下水道施設用コンクリート構造物の利点を全て有することができる。例えば、接着剤３は、間隔Ｇにおいてアンカー空間１７の内部に浸入して硬化しているから、このアンカー空間１７の接着剤３に対して、アンカー用線材１８がアンカー効果を奏することにより、防食部材１と、桝基体２との一体性が確保される。
【００８６】
また、本発明の一実施形態に係る下水道施設用コンクリート構造物に用いられる筒状組立体１００は、複数の防食部材１の組み立て構造である。防食部材１のそれぞれは、小型化及び軽量化が可能であるから、狭い内部空間２００で筒状組立体１００を形成する施工作業の高効率化、施工期間の短縮、及び、施工コストの低減が図られる。
【００８７】
本発明の一実施形態に係る下水道施設用コンクリート構造物は、防食部材１を内部空間２００で筒状組立体１００に組み合わせることにより内周面２０の保護が図られる。この構成によると内周面２０を高圧水洗浄した後の止水処理や乾燥処理が不要となり、施工作業の高効率化、施工期間の短縮、及び、施工コストの低減が図られる。
【００８８】
なお、図８乃至図１９に示した下水道施設用コンクリート構造物は、基本的に既設人孔の再構築工法であることを前提としているが、周知の下水道施設用コンクリート構造物腐食問題を踏まえ、少なくとも今後、新設される下水道施設用コンクリート構造物（マンホール）を製造する場合には、予め本実施例に係る腐食対策を施すことができる。図示は省略するが、例えば、周知の桝基体成型工程において、図１乃至図７に示す防食部材１を筒状に組み合わせて、内型として用いることにより、打設した生コンクリート材料をアンカー空間１７に直接的に浸入させ、硬化させることができる。この工法によると、防食部材１が内周面２０に直接埋設された状態の桝基体２を成型することができる。
【００８９】
図２０及び図２１は、本発明のさらにもう一つの実施形態に係る筒状組立体の平面図である。図２０及び図２１において、図１乃至図１９に図示した構成部分と同一の構成部分には、同一の参照符号を付す。
【００９０】
図２０に示す筒状組立体１００は、図１乃至図１９に示した筒状組立体１００とは異なり、非湾曲端縁１４に備えられている第１及び第２の連結部１５１、１５２のうち、第１の連結部１５１が外径側に凹段部が向いた段差形状であり、第２の連結部１５２が内径側に凹段部が向いた段差形状となっている。この構造によっても、図１乃至図１９を参照して説明した防食部材１、及び、これを用いた下水道施設用コンクリート構造物の利点を全て有しうることは自明である。
【００９１】
また、図２１に示す筒状組立体１００は、図１乃至図１９に示した筒状組立体１００とは異なり、４枚の防食部材１によって構成されており、防食部材１は、非湾曲端縁１４の一方に連結部１５１が備えられている。この連結部１５１は、内径側に後退した凹段形状であって、凹段部分が外径側に向いている。隣接する２つの防食部材１は、一方の非湾曲端縁１４が、他方の非湾曲端縁１４の連結部１５１に嵌合されている。この構造によっても、図１乃至図１９を参照して説明した防食部材１、及び、これを用いた下水道施設用コンクリート構造物の利点を全て有しうることは自明である。
【００９２】
図２２乃至図２５は、本発明のさらにもう一つの実施形態に係る筒状組立体の正面図である。図２２乃至図２５において、図１乃至図２１に図示した構成部分と同一の構成部分には、同一の参照符号を付す。
【００９３】
図２２に示す筒状組立体１００は、図１乃至図１９に示した実施形態とは異なり、複数の突出部１６が幅方向Ｗに間隔を隔てて配置され、突出部１６のそれぞれは、基板部１０の長さ方向Ｌにのみ条状に伸びている。アンカー用線材１８は、突出部１６に直交する関係で、幅方向Ｗに沿って配置されている。
【００９４】
また、図２３に示す筒状組立体１００は、図１乃至図１９に示した実施形態とは異なり、複数の突出部１６が長さ方向Ｌに間隔を隔てて配置され、突出部１６のそれぞれは、基板部１０の幅方向Ｗにのみリング状、又は、鍔状に伸びている。アンカー用線材１８は、突出部１６に直交する関係で、長さ方向Ｌに沿って配置されている。
【００９５】
図２４に示す筒状組立体１００は、図１乃至図１９に示した実施形態と同様に、突出部１６が基板部１０の一面１１上に格子状に備えられている一方、図１乃至図１９に示した実施形態とは異なり、アンカー用線材１８が基板部１０の一面１１を螺旋状に巻装された状態で突出部１６に取り付けられている。
【００９６】
図２５に示す筒状組立体１００は、図１乃至図１９に示した実施形態と同様に、突出部１６が基板部１０の一面１１上に格子状に備えられている一方、図１乃至図１９に示した実施形態とは異なり、アンカー用線材１８は網目状、又は、メッシュ状であって、基板部１０の一面１１に巻装された状態で突出部１６に取り付けられている。
【００９７】
図２２乃至図２５に示したいずれの実施形態によっても、アンカー用線材１８が、隣接する突出部１６に取り付けられている構造により、一面１１からアンカー用線材１８までの間にアンカー空間１７が形成されているから、図１乃至図２１を参照して説明した利点を全て有することができる。
【００９８】
図２６は本発明のもう一つの実施形態に係る防食部材１の斜視図、図２７は図２６に示した防食部材１を用いた筒状組立体１００の正面図である。図２６及び図２７において、図１乃至図２５に図示した構成部分と同一の構成部分には、同一の参照符号を付す。
【００９９】
図２６に示す防食部材１の基板部１０は、平面視した形状がＬ字状であり、互いに直交する第１及び第２の面部を有している。図示からは必ずしも明らかではないが、基板部１０は、一面１１の両側において、第１及び第２の面に、突出部１６、アンカー空間１７、及び、アンカー用線材１８を有している。また、図２７に示す筒状組立体１００は、図２６に示した防食部材を角筒形形状に組み合わせた実施形態である。
【０１００】
図２６及び図２７に示したいずれの実施形態によっても、アンカー用線材１８が、隣接する突出部１６に取り付けられている構造により、一面１１からアンカー用線材１８までの間にアンカー空間１７が形成されているから、図１乃至図２５を参照して説明した利点を全て有することができる。
【０１０１】
図２８は、本発明のさらにもう一つの実施形態に係る下水道施設用コンクリート構造物の断面図である。図２８において、図１乃至図２７に図示した構成部分と同一の構成部分には、同一の参照符号を付す。図２８に示す下水道施設用コンクリート構造物は、マンホールとともに下水道施設を構成する排水管（図８及び図９参照）であって、複数の防食部材１と、コンクリート基体部２と、接着剤（裏込め材）３とを含む。なお、コンクリート基体部２については、図示実施形態に即して、以下、管基体２として説明する。
【０１０２】
複数の防食部材１は、管基体２の内部空間において、その内周面２０に沿った形状（筒状または管状）に組み立てられ、アンカー用線材１８が配置されている一面１１が、内周面２０と間隔（Ｇ）を隔てて向き合っており、接着剤３は間隔（Ｇ）内に充填され、且、アンカー空間１７内に充填されている。
【０１０３】
上述した構造によると、図１乃至図２７を参照して説明した利点を全て有する排水管を提供することができる。例えば、排水管は、内周面２０、及び、内周面２０において腐食部分を除去した後の凹凸面２５を、複数の防食部材１を用いた筒状（管状）組立体１００で覆うことができるから、筒状組立体１００が内周面２０に内装された後にも、管基体２の内部空間に継続して発生する硫化水素ガスや各種工業廃液に対して、優れた防食効果を有することができる。
【０１０４】
接着剤３は、間隔（Ｇ）の内部に充填され、アンカー空間１７に浸入した状態で、硬化している。しかもアンカー空間１７は、一面１１上であって、アンカー用線材１８よりも筒状組立体１００の軸方向に後退した位置に凹状に形成されている。従って、防食部材１に内周面２０から剥離しようとする動作が生じたとしても、アンカー空間１７の接着剤３に対して、アンカー用線材１８がアンカー効果を奏し、防食部材１の剥離動作が規制される。よって、防食部材１と、接着剤３との材質の違いにかかわらず、防食部材１と、管基体２との一体性を長期間に渡って確保することができる。
【０１０５】
なお、図示は省略するが、下水道施設用コンクリート構造物が所謂排水管である場合、防食部材１は組立体である必要は無い。例えば、防食部材１は、製造当初から無端の筒状体として、一体成型することができる。
【０１０６】
以上、好ましい実施例を参照して本発明の内容を具体的に説明したが、本発明の基本的技術思想及び教示に基づいて、当業者であれば、種種の変形態様を採り得ることは自明である。
【図面の簡単な説明】
【０１０７】
【図１】本発明の一実施形態に係る防食部材の正面図である。
【図２】図１に示した防食部材の背面図である。
【図３】図２に示した防食部材の平面図である。
【図４】図１に示した防食部材の側面図である。
【図５】図４の５−５線に沿った拡大断面図である。
【図６】図５の６−６線に沿った拡大断面図である。
【図７】図６に示した防食部材の一部を拡大して示す図である。
【図８】本発明の一実施形態に係る下水道施設用コンクリート構造物について、一部を省略して示す断面図である。
【図９】図８の９−９線に沿った拡大断面図である。
【図１０】図９に示した下水道施設用コンクリート構造物の一部を拡大して示す図である。
【図１１】図８乃至図１０に示した下水道施設用コンクリート構造物の製造方法を示す図である。
【図１２】図１１に示した工程の後の工程を示す図である。
【図１３】図１２に示した工程について一部を省略して示す図である。
【図１４】図１３に示した工程により得られる筒状組立体の平面図である。
【図１５】図１４に示した筒状組立体の平面断面図である。
【図１６】図１２乃至図１５に示した工程の後の工程を示す図である。
【図１７】図１６に示した工程について一部を省略して示す図である。
【図１８】図１６及び図１７に示した工程の後の工程を示す図である。
【図１９】図１８に示した工程の後の工程を示す図である。
【図２０】本発明のもう一つの実施形態に係る筒状組立体の平面図である。
【図２１】本発明のさらにもう一つの実施形態に係る筒状組立体の平面図である。
【図２２】本発明のさらにもう一つの実施形態に係る筒状組立体の正面図である。
【図２３】本発明のさらにもう一つの実施形態に係る筒状組立体の正面図である。
【図２４】本発明のさらにもう一つの実施形態に係る筒状組立体の正面図である。
【図２５】本発明のさらにもう一つの実施形態に係る筒状組立体の正面図である。
【図２６】本発明のもう一つの実施形態に係る防食部材の斜視図である。
【図２７】図２６に示した防食部材を用いた筒状組立体の正面図である。
【図２８】本発明のさらにもう一つの実施形態に係る下水道施設用コンクリート構造物の断面図である。
【符号の説明】
【０１０８】
１              防食部材
１００          筒状組立体
１０            基板部
１１            一面
１６            突出部
１６０          突出先端面
１７            アンカー空間
１８            アンカー用線材
２              コンクリート基体部（桝基体、管基体）
２０            内周面
２００          内部空間
３              接着剤
Ｇ              防食部材と内周面との間隔
【図１】
2008127753.tif 000003
【図２】
2008127753.tif 000004
【図３】
2008127753.tif 000005
【図４】
2008127753.tif 000006
【図５】
2008127753.tif 000007
【図６】
2008127753.tif 000008
【図７】
2008127753.tif 000009
【図８】
2008127753.tif 000010
【図９】
2008127753.tif 000011
【図１０】
2008127753.tif 000012
【図１１】
2008127753.tif 000013
【図１２】
2008127753.tif 000014
【図１３】
2008127753.tif 000015
【図１４】
2008127753.tif 000016
【図１５】
2008127753.tif 000017
【図１６】
2008127753.tif 000018
【図１７】
2008127753.tif 000019
【図１８】
2008127753.tif 000020
【図１９】
2008127753.tif 000021
【図２０】
2008127753.tif 000022
【図２１】
2008127753.tif 000023
【図２２】
2008127753.tif 000024
【図２３】
2008127753.tif 000025
【図２４】
2008127753.tif 000026
【図２５】
2008127753.tif 000027
【図２６】
2008127753.tif 000028
【図２７】
2008127753.tif 000029
【図２８】
2008127753.tif 000030